(57)【要約】【課題】薬の情報と身体情報とを関連付けて通知し、服薬の効果を推定する上での支援を行う服薬支援装置を提供する。【解決手段】表示部１２に表示されたカレンダー画面７１を閲覧するだけで、服薬状況を容易に知ることができ、またグラフ画面８１を閲覧するだけで、服薬状況と最高血圧３１ｂ並びに最低血圧３１ｃとの関係（服薬支援情報）を容易に把握して、服薬による効果を確認することができる。【選択図】図１１
2018152135.tif 000002
【特許請求の範囲】
【請求項１】
表示画面を有し、
前記表示画面で入力操作を受け付ける入力操作受付手段と、
服薬対象の画像を撮影する撮影手段と、
記憶手段を備えた服薬支援装置であって、
前記撮影手段により撮影した服薬対象の薬像と服薬時間を関連付けて薬情報として前記記憶手段に記憶し、
前記薬像を表示し、前記記憶手段に記憶された前記服薬時間と前記薬像と関連付けた薬アイコンを合わせて表示することを特徴とする服薬支援装置。
【請求項２】
前記服薬時間は朝、昼、夕、及び起床就寝に区分されており、更に朝、昼、夕については、食前、食後、及び食間に更に区分され、起床就寝については、起床時及び就寝前に区分され、前記区別された服薬時間のいずれにも前記薬アイコンが表示されていることを特徴とする請求項１に記載の服薬支援装置。
【請求項３】
前記区別された服薬時間のいずれかが選択されている場合、選択されている前記区別された服薬時間に対応する前記薬アイコンと非選択の前記薬アイコンとの表示が異なることを特徴とする請求項２に記載の服薬支援装置。
【請求項４】
前記薬像を表示し、
前記区別された服薬時間と前記薬アイコンを合わせて表示された服薬時間入力部と、
前記薬情報が記録された後に薬の服用を中止するための無効キーからなっている薬情報入力画面を有していることを特徴とする請求項２または３に記載の服薬支援装置。
【請求項５】
前記薬情報入力画面にさらに前記服薬時間になった時点で音声通報の有無を設定する音声通報キーを有することを特徴とする請求項４に記載の服薬支援装置。
【請求項６】
前記区別された服薬時間と薬アイコンを合わせて表示し、
前記薬情報に基づいて前記服薬時間として選択されている前記区別された服薬時間があれば、選択されている前記区別された服薬時間に対応する薬アイコンと非選択の薬アイコンとは異なる表示をし、
選択されている前記区別された服薬時間に対応する前記薬像を表示する服薬確認画面を有していることを特徴とする請求項３に記載の服薬支援装置。
【発明の詳細な説明】
【技術分野】
【０００１】
本発明は、利用者に対して服薬に係る支援を行う服薬支援装置に関する。
【背景技術】
【０００２】
この種の装置としては、特許文献１に記載のものがある。特許文献１では、薬の情報を記憶すると共に、薬を服薬すべき服薬時間になると、服薬を促す旨を利用者に通知して、服薬の時刻及び曜日等の服薬情報を記憶し、それらの記憶した薬の情報及び服薬情報に基づき服薬時間を更新している。
【先行技術文献】
【特許文献】
【０００３】
【特許文献１】特開２０１１−２１５７４４号公報
【発明の概要】
【発明が解決しようとする課題】
【０００４】
しかしながら、特許文献１では、服薬時間になると、服薬を促す旨を利用者に通知するだけであり、薬の効果を利用者に通知してはいない。このため、利用者は、体重、体温、血圧、脈拍数等の身体情報をそれぞれの機器で別途測定して、服薬回数、服薬時間等の薬の情報と身体情報とを関連付けて服薬の効果を推定することになるが、これには時間と手間を要した。
【０００５】
そこで、本発明は、上記従来の問題点に鑑みなされたものであり、薬の情報と身体情報とを関連付けて通知し、服薬の効果を推定する上での支援を行う服薬支援装置を提供することを目的とする。
【課題を解決するための手段】
【０００６】
上記課題を解決するために、本発明の服薬支援装置は、利用者が服薬する薬の識別データ及び前記薬の服薬時間を示す薬情報を登録する薬情報登録部と、前記利用者の身体情報を登録する身体情報登録部と、前記薬情報登録部に登録された前記薬情報と前記身体情報登録部に登録された前記身体情報とを関連付けた服薬支援情報を作成して出力する制御部とを備えている。
【０００７】
このような本発明では、薬情報と身体情報とを関連付けた服薬支援情報を作成して出力する。このため、服薬支援情報に基づき服薬による身体への影響、つまり服薬の効果を知ることができる。
【０００８】
また、本発明の服薬支援装置においては、表示部を備え、前記制御部は、前記服薬支援情報を前記表示部に表示している。
【０００９】
これにより、服薬支援情報を容易に確認することができる。
【００１０】
更に、本発明の服薬支援装置においては、利用者により操作される操作部を備え、前記制御部は、前記操作部の操作により入力された前記薬情報を前記薬情報登録部に登録している。
【００１１】
また、本発明の服薬支援装置においては、利用者により操作される操作部を備え、前記制御部は、前記操作部の操作により入力された前記身体情報を前記身体情報登録部に登録
している。
【００１２】
このように操作部の操作により薬情報や身体情報を入力して、これらの情報を薬情報登録部や身体情報登録部に登録してもよい。
【００１３】
更に、本発明の服薬支援装置においては、前記利用者の身体情報を測定する身体情報測定部と、前記身体情報測定部から前記制御部へと前記身体情報を通信する情報通信部とを備え、前記制御部は、前記身体情報を前記情報通信部を通じて取得して前記身体情報登録部に登録している。
【００１４】
この場合は、身体情報測定部により利用者の身体情報が測定されると、この身体情報が情報通信部を通じて身体情報登録部に自動的に登録される。
【００１５】
また、本発明の服薬支援装置においては、前記薬の服薬を促す旨を通報する通報部を備え、前記制御部は、前記薬情報登録部により登録された前記薬情報から前記薬の服薬時間を取得し、前記服薬時間になると、前記通報部を起動している。
【００１６】
これにより、利用者が服薬を忘れることを防止することができる。
【発明の効果】
【００１７】
本発明では、薬情報と身体情報とを関連付けた服薬支援情報を作成して出力する。このため、服薬支援情報に基づき服薬による身体への影響、つまり服薬の効果を知ることができる。
【図面の簡単な説明】
【００１８】
【図１】本発明の服薬支援装置の第１実施形態を示すブロック図である。
【図２】図１の服薬支援装置における記憶装置に記憶されている各種の情報を概念的に示す図である。
【図３】図１の服薬支援装置における表示部に表示されるスタート画面を示す図である。
【図４】記憶装置に記憶されている身体情報を概念的に示す図である。
【図５】表示部に表示される身体情報入力画面を示す図である。
【図６】記憶装置に記憶されている薬情報を概念的に示す図である。
【図７】表示部に表示される薬情報入力画面を示す図である。
【図８】記憶装置に記憶されている服薬管理情報を概念的に示す図である。
【図９】表示部に表示される服薬情報入力画面を示す図である。
【図１０】記憶装置に記憶されているカレンダー情報に対応するカレンダー画面を示す図である。
【図１１】記憶装置に記憶されているグラフ情報に対応するグラフ画面を示す図である。
【図１２】本発明の服薬支援装置の第２実施形態を示すブロック図である。
【発明を実施するための形態】
【００１９】
（第１実施形態）
以下、本発明の実施形態を添付図面に基づき詳細に説明する。
【００２０】
図１は、本発明の服薬支援装置の第１実施形態を示すブロック図である。図１に示すように第１実施形態の服薬支援装置１は、プログラムやデータ等が格納されている記憶装置１１と、液晶表示装置等からなる表示部１２と、音声を再生出力する音声出力部１３と、画像データを処理する画像処理部１４と、画像処理部１４から出力された画像データを入
力して、この画像データによって示される画像を表示部１２の画面に表示させる表示制御部１５と、表示部１２の画面に重ね合わされたタッチパネル１６と、タッチパネル１６の検出出力に基づきタッチパネル１６上のタッチ操作位置を検出するタッチ制御部１７と、操作キー１８と、カメラ１９と、ＣＰＵ、ＲＡＭ、ＲＯＭ、Ｉ／Ｏポート等からなる主制御部２０とを備えている。
【００２１】
主制御部２０は、プログラムやデータ等を記憶装置１１から読み出して、プログラムを実行しつつ、この服薬支援装置１を統合的に制御する。例えば、主制御部２０は、画像データを処理したり、画像データによって示される画像を表示部１２の画面に表示したり、あるいは音声を再生出力するべく、プログラムやデータ等に基づき画像処理部１４、表示制御部１５、及び音声出力部１３を制御する。また、主制御部２０は、利用者によりタッチパネル１６のタッチ操作がなされると、タッチパネル１６上のタッチ操作位置を示す位置データをタッチ制御部１７から入力して、表示部１２の画面上の画像に対するタッチ操作位置を判定し、このタッチ操作位置に応じた処理を行う。
【００２２】
このような服薬支援装置１においては、薬情報と利用者の身体情報とを関連付けた服薬支援情報を作成して出力する。薬情報は、利用者が服薬する薬の識別データや服薬時間を示すものであり、また身体情報は、利用者の環境、血圧、体温、脈拍等を示すものである。このため、利用者は、それらの薬情報と利用者の身体情報とを関連付けた服薬支援情報を参照して、服薬による身体への影響、つまり服薬の効果を知ることができる。
【００２３】
次に、そのような服薬支援情報を作成するための構成を説明する。図２は、記憶装置１１に記憶されている各種の情報を概念的に示している。図２に示すように記憶装置１１には、身体情報３１、薬情報３２、服薬管理情報３３、カレンダー情報３４、及びグラフ情報３５が記憶されている。
【００２４】
ここで、主制御部２０は、図３に示すようなスタート画面３６を表示部１２に表示する。このスタート画面３６には、身体情報３１、薬情報３２、服薬管理情報３３、カレンダー情報３４、及びグラフ情報３５に対応するそれぞれのアイコンＩ１、Ｉ２、Ｉ３、Ｉ４、及びＩ５が表示されている。主制御部２０は、各アイコンＩ１〜Ｉ５のいずれかがタッチ操作されて選択されると、この選択されたアイコンを判定し、この選択されたアイコンに対応する各情報３１〜３５のいずれかに係わる画面を表示部１２に表示して、この情報の作成、更新、閲覧等を行うことができるようにする。
【００２５】
図４は、記憶装置１１に記憶されている身体情報３１を概念的に示す図である。図４に示すように身体情報３１は、年月日毎に、室温３１ａ、最高血圧３１ｂ、最低血圧３１ｃ、脈拍数３１ｄ、及び体温３１ｅ等を記録したものである。
【００２６】
このような身体情報３１は、図３のスタート画面３６上で身体情報３１に対応するアイコンＩ１をタッチ操作して、図５に示すような身体情報入力画面４１を表示部１２に表示した上で、タッチパネル１６を通じて身体情報入力画面４１をタッチ操作することにより入力される。図５に示すように身体情報入力画面４１には、年月日欄４２、テンキー４３、ＯＫキー４４、室温記入欄４５、最高血圧記入欄４６、最低血圧記入欄４７、脈拍数記入欄４８、及び体温記入欄４９が表示されている。例えば、年月日欄４２の左右の矢印キー４２ａ、４２ｂの選択的なタッチ操作により年月日欄４２に表示される年月日が変わる。また、室温記入欄４５がタッチ操作されると、室温記入欄４５が選択され、引き続いてテンキー４３のタッチ操作により室温３１ａが入力されると、この室温３１ａが室温記入欄４５に記入される。更に、最高血圧記入欄４６がタッチ操作されると、最高血圧記入欄４６が選択され、引き続いてテンキー４３のタッチ操作により最高血圧３１ｂが入力されると、この最高血圧３１ｂが最高血圧記入欄４６に記入される。同様に、最低血圧記入欄
４７、脈拍数記入欄４８、及び体温記入欄４９についても、それぞれの欄のタッチ操作及びテンキー４３のタッチ操作により、最低血圧３１ｃ、脈拍数３１ｄ、及び体温３１ｅがそれぞれの欄に記入される。
【００２７】
そして、主制御部２０は、ＯＫキー４４がタッチ操作されると、年月日欄４２の年月日、室温記入欄４５の室温３１ａ、最高血圧記入欄４６の最高血圧３１ｂ、最低血圧記入欄４７の最低血圧３１ｃ、脈拍数記入欄４８の脈拍数３１ｄ、及び体温記入欄４９の体温３１ｅを確定して身体情報３１に記録し、身体情報３１を更新する。
【００２８】
図６は、記憶装置１１に記憶されている薬情報３２を概念的に示す図である。図６に示すように薬情報３２は、薬像３２ａ、服薬時間３２ｂ、薬の識別データ３２ｃ、及び服薬時間３２ｂとなった時点での音声通報の有無等を記録したものである。
【００２９】
このような薬情報３２は、図３のスタート画面３６上で薬情報３２に対応するアイコンＩ２をタッチ操作して、図７に示すような薬情報入力画面５１を表示部１２に表示した上で、タッチパネル１６を通じて薬情報入力画面５１を操作することにより入力される。図７に示すように薬情報入力画面５１には、薬像３２ａ、薬の服薬時間入力部５２、ＯＫキー５３、音声通報キー５４、及び無効キー５５が表示されている。服薬時間入力部５２は、朝欄５６、昼欄５７、夕欄５８、及び起床就寝欄５９に区分されており、また朝欄５６、昼欄５７、及び夕欄５８については、「食前」、「食後」、及び「食間」に更に区分され、更に起床就寝欄５９については、「起床時」及び「就寝前」に更に区分されている。また、朝欄５６の「食前」、「食後」、及び「食間」がそれぞれの時刻６時３０分、７時３０分、及び９時００分に対応し、昼欄５７の「食前」、「食後」、及び「食間」がそれぞれの時刻１１時３０分、１２時３０分、及び１４時００分に対応し、夕欄５８の「食前」、「食後」、及び「食間」がそれぞれの時刻１７時３０分、１８時３０分、及び２０時００分に対応し、起床就寝欄５９の「起床時」及び「就寝前」がそれぞれの時刻６時００分及び２１時３０分に対応している。
【００３０】
服薬時間入力部５２の朝欄５６においては、「食前」の薬アイコンＩａ、「食後」の薬アイコンＩａ、及び「食間」の薬アイコンＩａのいずれかをタッチ操作することにより「食前」、「食後」、及び「食間」のいずれかの時刻を服薬時間３２ｂとして選択することができる。同様に、昼欄５７及び夕欄５８においても、「食前」の薬アイコンＩａ、「食後」の薬アイコンＩａ、及び「食間」の薬アイコンＩａのいずれかをタッチ操作することにより「食前」、「食後」、及び「食間」のいずれかの時刻を服薬時間３２ｂとして選択することができる。また、起床就寝欄５９においては、「起床時」の薬アイコンＩａ及び「就寝前」の薬アイコンＩａの少なくとも一方をタッチ操作することにより「起床時」及び「就寝前」の少なくとも一方の時刻を服薬時間３２ｂとして選択することができる。更に、タッチ操作の度に、薬アイコンＩａ並びに時刻の選択及び非選択が切換わり、選択のときには薬アイコンＩａがカラー表示され、非選択のときには薬アイコンＩａがモノクロ表示される。
【００３１】
また、薬像３２ａは、カメラ１９によって撮像されて記憶装置１１に記憶されたものである。シャッターキー１９ａの操作により、カメラ１９を起動して、カメラ１９により薬を撮影することができ、この薬像３２ａの画像データが記憶装置１１に記憶される。尚、複数種の薬のイラストを記憶装置１１に予め記憶しておき、各種の薬のイラストのいずれかを薬像３２ａとして選択して用いても構わない。
【００３２】
更に、音声通報キー５４をタッチ操作することにより、服薬時間３２ｂとなった時点での音声通報の有無を設定することができる。また、音声通報キー５４のタッチ操作の度に、音声通報の有無が切換わる。
【００３３】
このような服薬時間入力部５２の操作により、薬像３２ａの薬について、朝、昼、夕、起床時、及び就寝前別に、その薬の服薬時間３２ｂを選択することができ、また薬像３２ａ、服薬時間３２ｂ、服薬時間３２ｂとなった時点での音声通報の有無を設定することができる。そして、主制御部２０は、ＯＫキー５３がタッチ操作されると、薬像３２ａ、薬の服薬時間３２ｂ、及び服薬時間３２ｂとなった時点での音声通報の有無を確定して薬情報３２として記録する。
【００３４】
また、薬情報３２が記録された後に薬の服用を中止する場合は、薬情報入力画面５１を表示部１２に表示した上で、無効キー５５をタッチ操作する。これにより、薬情報３２が無効となる。
【００３５】
図８は、記憶装置１１に記憶されている服薬管理情報３３を概念的に示す図である。図８に示すように服薬管理情報３３には、薬の識別データ３２ｃが記録されている。また、服薬管理情報３３には、年月日毎に、識別データ３２ｃによって示される薬の服薬の有無が記録されており、「朝」、「昼」、「夕」、「起床時」、及び「就寝前」別に、服薬の有無が記録されている。更に、服薬管理情報３３には、身体情報３１の種類を示す識別データ３１ｆが記録されている。
【００３６】
この服薬管理情報３３は、図３のスタート画面３６上で服薬管理情報３３に対応するアイコンＩ３をタッチ操作すると、表示部１２に表示されて確認することができる。また、服薬管理情報３３を表示した上で、この服薬管理情報３３に身体情報３１の種類を示す識別データ３１ｆを記録することができる。例えば、識別データ３２ｃの薬が血圧の治療に用いられるものである場合は、最高血圧及び最低血圧の各欄をタッチ操作により選択すると、最高血圧及び最低血圧を示す識別データ３１ｆが記録される。
【００３７】
また、服薬管理情報３３に薬の服薬の有無を記録するには、図９に示すような服薬確認画面６１が用いられる。この服薬確認画面６１には、朝欄６２、昼欄６３、夕欄６４、起床就寝欄６５、及び薬像３２ａが表示されている。また、朝欄６２、昼欄６３、及び夕欄６４については、「食前」、「食後」、及び「食間」（３つの時刻）に更に区分され、更に起床就寝欄６５については、「起床時」及び「就寝前」（２つの時刻）に更に区分され、「食前」、「食後」、「食間」、「起床時」、及び「就寝前」に対応するそれぞれの薬アイコンＩａが表示されている。また、薬情報３２において服薬時間３２ｂとして選択されている時刻があれば、服薬確認画面６１においてその時刻の薬アイコンＩａがカラー表示され、非選択の他の時刻の薬アイコンＩａがモノクロ表示されている。
【００３８】
ここで、主制御部２０は、時刻を計時しており、時刻が図６の薬情報３２の服薬時間３２ｂになると、図９に示すような服薬確認画面６１を表示して、服薬確認画面６１におけるその時刻の服薬時間３２ｂに対応する薬アイコンＩａをカラー表示する。同時に、主制御部２０は、図６の薬情報３２の音声通報を参照して、この音声通報が有りに設定されていると、音声出力部１３を駆動制御して、服薬を促すための音声を再生出力する。
【００３９】
利用者は、音声出力部１３により再生出力された音声に基づき服薬の時刻になったことを知ることができ、服薬確認画面６１の薬像３２ａを視て、薬像３２ａの薬が服薬の対象であることを知って、この薬を服薬する。この後、利用者は、その時刻の薬アイコンＩａをタッチ操作して、薬を服薬したことを入力する。これに応答して主制御部２０は、服薬管理情報３３におけるその年月日の時刻の服薬を有りと記録する。
【００４０】
図１０は、記憶装置１１に記憶されているカレンダー情報３４に対応するカレンダー画面７１を示す図である。図３のスタート画面３６上でカレンダー情報３４に対応するアイ
コンＩ４をタッチ操作すると、このカレンダー情報３４に対応するカレンダー画面７１が表示部１２に表示される。
【００４１】
このカレンダー画面７１には、一ヶ月の各日に対応するそれぞれマス７２、及び年月欄７３が表示されている。年月欄７３の左右の矢印キー７３ａ、７３ｂの選択的なタッチ操作により年月欄７３に表示されている年月が変わり、年月欄７３の年月の各日に対応するそれぞれマス７２が表示される。
【００４２】
ここで、主制御部２０は、スタート画面３６上でカレンダー情報３４に対応するアイコンＩ４がタッチ操作されると、カレンダー情報３４を記憶装置１１から読み出して、カレンダー情報３４によって示されるカレンダー画面７１を表示部１２に表示し、その上で年月欄７３の年月の各日に対応するそれぞれマス７２を表示する。そして、主制御部２０は、服薬管理情報３３における年月日毎の服薬の有無を参照して、過去から現在までの服薬の有無をカレンダー画面７１に表示する。ここでは、服薬の有りの日に対応するマス７２に薬像３２ａを表示し、また服薬無しの日に対応するマス７２に薬像３２ａを表示しない。従って、カレンダー画面７１を閲覧するだけで、服薬状況を容易に知ることができる。
【００４３】
また、主制御部２０は、服薬時間入力部５２の無効キー５５のタッチ操作により薬情報３２が無効にされると（薬情報３２の薬の服用が中止されると）、薬情報３２が無効にされた日以降、カレンダー画面７１のマス７２に対する薬像３２ａの表示又は非常時を中止する。更に、主制御部２０は、新たな薬の服用が開始されて、新たな薬情報３２及び服薬管理情報３３が作成されて記憶装置１１に記録されると、新たな薬情報３２が記録された日以降、カレンダー画面７１のマス７２に対する新たな薬の薬像３２ａの表示又は非表示を開始する。従って、薬が変更された場合は、その変更の日より前の日に対応するマス７２には服用が中止された薬の薬像３２ａが表示され、その変更の日以降の日に対応するマス７２には新たな薬の薬像３２ａが表示されることになり、カレンダー画面７１を閲覧することにより薬の変更を容易に知ることができる。
【００４４】
図１１は、記憶装置１１に記憶されているグラフ情報３５に対応するグラフ画面８１を示す図である。図３のスタート画面３６上でグラフ情報３５に対応するアイコンＩ５をタッチ操作すると、このグラフ画面８１が表示部１２に表示される。このグラフ画面８１では、横軸Ｘ及び縦軸Ｙが表示されている。
【００４５】
ここで、主制御部２０は、スタート画面３６上でグラフ情報３５に対応するアイコンＩ５がタッチ操作されると、グラフ情報３５を記憶装置１１から読み出して、グラフ情報３５によって示されるグラフ画面８１を表示部１２に表示する。そして、主制御部２０は、服薬管理情報３３を参照して、年月日毎の服薬の有無を取得し、グラフ画面８１上で過去から現在までの薬の服薬の有無を横軸Ｘの年月日に沿って表示する。ここでは、服薬の有りの日に薬像３２ａを表示し、また服薬無しの日に薬像３２ａを表示しない。従って、グラフ画面８１を閲覧するだけで、服薬状況を容易に知ることができる。
【００４６】
また、主制御部２０は、薬情報３２を参照して、薬の識別データ３２ｃを取得し、服薬管理情報３３を参照して、身体情報３１の識別データ３１ｆを取得し、身体情報３１を参照して、識別データ３１ｆによって示される最高血圧３１ｂ及び最低血圧３１ｃを年月日毎に取得する。そして、主制御部２０は、グラフ画面８１の縦軸Ｙに最高血圧３１ｂ及び最低血圧３１ｃを表示し、年月日毎の最高血圧３１ｂ及び最低血圧３１ｃをそれぞれの血圧特性線８２、８３としてグラフ画面８１に表示する。従って、グラフ画面８１を閲覧するだけで、服薬状況と最高血圧３１ｂ並びに最低血圧３１ｃとの関係、つまり服薬支援情報を容易に把握して、服薬による効果を確認することができる。
【００４７】
更に、主制御部２０は、服薬時間入力部５２の無効キー５５のタッチ操作により薬情報３２が無効にされると（薬情報３２の薬の服用が中止されると）、薬情報３２が無効にされた日以降、グラフ画面８１の横軸Ｘの年月日に沿った薬像３２ａの表示又は非常時を中止する。更に、主制御部２０は、新たな薬の服用が開始されて、新たな薬情報３２及び服薬管理情報３３が作成されて記憶装置１１に記録されると、グラフ画面８１の横軸Ｘの年月日に沿って新たな薬の薬像３２ａの表示又は非常時を開始する。このため、グラフ画面８１を閲覧することにより薬の変更を容易に知ることができる。
【００４８】
このように第１実施形態の服薬支援装置１では、表示部１２に表示されたカレンダー画面７１を閲覧するだけで、服薬状況を容易に知ることができ、またグラフ画面８１を閲覧するだけで、服薬状況と最高血圧３１ｂ並びに最低血圧３１ｃとの関係（服薬支援情報）を容易に把握して、服薬による効果を確認することができる。
【００４９】
尚、利用者が複数種の薬を服用する場合は、各種の薬別に、薬情報３２、服薬管理情報３３、カレンダー情報３４、及びグラフ情報３５が作成され、服薬確認画面６１、カレンダー画面７１、及びグラフ画面８１が表示される。
（第２実施形態）
次に、本発明の第２実施形態の服薬支援装置１Ａを説明する。図１２は、第２実施形態の服薬支援装置１Ａを示すブロック図である。尚、図１２において、図１と同様の作用を果す部位には同じ符号を付す。
【００５０】
この服薬支援装置１Ａは、図１の装置１に通信部２１を付設したものである。また、室温、血圧、脈拍数、及び体温を測定するそれぞれの測定機器２２〜２５にもそれぞれの通信部２２ａ〜２５ａが設けられており、服薬支援装置１Ａの通信部２１と各測定機器２２〜２５の通信部２２ａ〜２５ａとの間でデータ通信を行うことができる。データ通信方式としては、近距離通信に適した既存の方式を適用する。
【００５１】
このような構成の服薬支援装置１Ａにおいて、各測定機器２２〜２５により室温、血圧、脈拍数、及び体温が測定される。主制御部２０は、所定の時刻になると、服薬支援装置１Ａの通信部２１と各測定機器２２〜２５の通信部２２ａ〜２５ａとの間でデータ通信を開始して、各測定機器２２〜２５により測定された室温、血圧、脈拍数、及び体温を収集し、これらの収集した室温、血圧、脈拍数、及び体温を記憶装置１１内の身体情報３１の室温３１ａ、最高血圧３１ｂ、最低血圧３１ｃ、脈拍数３１ｄ、及び体温３１ｅとして書き込んで、身体情報３１を更新する。
【００５２】
従って、図５の身体情報入力画面４１を用いなくても、身体情報３１を入力して更新することができ、利用者にとっては入力操作の手間がかからないという利点がある。
【００５３】
尚、薬情報３２及び服薬管理情報３３の作成方法、カレンダー情報３４及びグラフ情報３５の表示方法は、第１実施形態と同様である。
（第３実施形態）
次に、本発明の第３実施形態の服薬支援装置を説明する。この第３実施形態の服薬支援装置では、第１実施形態における身体情報入力画面４１による身体情報３１の入力と、第２実施形態におけるデータ通信よる身体情報３１の収集とを併用している。例えば、身体情報３１の室温３１ａ、最高血圧３１ｂ、最低血圧３１ｃ、脈拍数３１ｄ、及び体温３１ｅ別に、身体情報入力画面４１による入力とデータ通信よる収集とを使い分けて、身体情報３１を更新する。これにより、利用者にとっての利便性がより向上する。
【００５４】
以上、添付図面を参照しながら本発明の好適な実施形態について説明したが、本発明は係る例に限定されないことは言うまでもない。当業者であれば、特許請求の範囲に記載さ
れた範疇内において、各種の変更例または修正例に想到し得ることは明らかであり、それらについても当然に本発明の技術的範囲に属するものと解される。
【符号の説明】
【００５５】
１  服薬支援装置
１１  記憶装置
１２  表示部
１３  音声出力部
１４  画像処理部
１５  表示制御部
１６  タッチパネル
１７  タッチ制御部
１８  操作キー
１９  カメラ
２０  主制御部
２１、２２ａ〜２５ａ  通信部
２２〜２５  測定機器
【図１】
2018152135.tif 000003
【図２】
2018152135.tif 000004
【図３】
2018152135.tif 000005
【図４】
2018152135.tif 000006
【図５】
2018152135.tif 000007
【図６】
2018152135.tif 000008
【図７】
2018152135.tif 000009
【図８】
2018152135.tif 000010
【図９】
2018152135.tif 000011
【図１０】
2018152135.tif 000012
【図１１】
2018152135.tif 000013
【図１２】
2018152135.tif 000014